Podtech/llm-jp-corpus-v4-ja_patent huggingface dataset:
(57)【要約】      （修正有）【課題】一般の人であっても簡易にメッシュスタイルの髪型が可能な襟足用部分かつらを提供する。【解決手段】襟足用部分かつら１は、線状の装着材２と、その外側に植毛して垂下する付け毛３と、装着材２の内側に取り付け地毛７を挟み込む挟持体４を有する。付け毛３は、複数の毛束であって、隣接する毛束間に間隙部を有する。襟足用部分かつら１を装着する場合は先ず髪をハーフアップにしてクリップ６にて仮留めし、襟足用部分かつら１の装着材２を襟足にあてがい、挟持体４を襟足部の地毛７に留める。その後髪を下ろして地毛７と付け毛３をなじませる。【選択図】図３
0003173142.tif 000002
【実用新案登録請求の範囲】
【請求項１】
帯状又は線状の装着材の内側に取り付け地毛を挟み込む挟持体と、この装着材の外側に植毛して垂下する付け毛とを有し、前記挟持体を襟足部の地毛に留め、地毛と付け毛をなじませて髪を整える襟足用部分かつらにおいて、前記付け毛は、複数の毛束であって、隣接する毛束間に間隙部を有して前記装着材に植毛することを特徴とする襟足用部分かつら。
【考案の詳細な説明】
【技術分野】
【０００１】
この考案は、一般の人であっても簡易にメッシュスタイルの髪型が可能な襟足用部分かつらに関する。
【背景技術】
【０００２】
髪の一部を別の色に染色あるいは脱色したメッシュと呼ばれる髪型がある。メッシュを入れる場合には、髪をピン等で留めながら部分的にヘアーカラー剤や脱色剤を塗り、その後カラー剤等を洗い流すことで髪にメッシュを入れている。
【０００３】
又、化学繊維や人毛で作られた毛束のヘアーエクステンションを地毛に接続具を用いて取り付けたり、地毛に編み込むことでメッシュを入れる場合もある。
【０００４】
しかし、これらの方法できれいなメッシュスタイルを実現するためには何れも煩雑な手順をとるため、一般の人が気軽に行なえるものではなかった。
【０００５】
このため、ウィッグを用いてメッシュスタイルの髪型を試みることもある。このようなウィッグとしては、例えば非特許文献１に記載されるような襟足ウィッグがあった。
【非特許文献１】楽天市場，２０１１年８月３１日，襟足ウィッグ，ＥＸ０１１ＵＲＬ，http://item.rakuten.co.jp/starrich/ex011/
【０００６】
この襟足ウィッグは、帯体の内側にワンタッチクリップを取り付け、その外側に付け毛を植毛するもので、その取り付け方は、先ず髪をハーフアップにして仮留めし、襟足ウィッグのワンタッチクリップを襟足部の地毛に留め、その後髪を下ろして地毛と付け毛をなじませて髪を整えるものであった。
【０００７】
襟足ウィッグのカラーを地毛のカラーと変える場合、例えば金髪に染めた地毛にピンクカラーの襟足ウィッグを装着し地毛と付け毛とを混然一体化すると、金髪にピンクがちらほらするメッシュスタイルができるものであった。
【考案の開示】
【考案が解決しようとする課題】
【０００８】
しかし、従来の襟足ウィッグは、帯状装着材の全域に亘る付け毛を有していたため、メッシュ部分を均等に出現させることが難しく、望んだメッシュスタイルの実現がなかなかできなかった。
【０００９】
この考案は、従来の襟足ウィッグが有する上記の問題点を解消すべくなされたものであり、一般の人であっても簡易にメッシュスタイルの髪型が可能な襟足用部分かつらを提供することを目的としている。
【課題を解決するための手段】
【００１０】
上記課題を解決するため、この考案の襟足用部分かつらは、帯状又は線状の装着材の内側に取り付け地毛を挟み込む挟持体と、この装着材の外側に植毛して垂下する付け毛とを有し、前記挟持体を襟足部の地毛に留め、地毛と付け毛をなじませて髪を整える襟足用部分かつらにおいて、前記付け毛は、複数の毛束であって、隣接する毛束間に間隙部を有して前記装着材に植毛することを特徴とするものである。
【００１１】
装着材は、頭の形に合わせられる柔軟な素材で、挟持体はバネ性のワンタッチクリップが望ましく、装着材の長さに合わせて適宜箇所に複数個設置することが望ましい。付け毛は人毛又は化学繊維を用い、例えば毛束幅と間隙幅を略同一に配置する。
【００１２】
この襟足用部分かつらは、装着材の長さを適宜変化させ、例えば長めの装着材には毛束の数を増やすと同時に付け毛の長さも長めに設定し、短めの装着材には少なめの毛束及び短めの付け毛を取り付け、これらを襟足部に段階的にセットすることでより均等なメッシュスタイルを実現する。
【考案の効果】
【００１３】
この考案の襟足用部分かつらは、隣接する毛束間に間隙部を設けるので、間隙部から地毛が表出しやすく一般の人であっても均等なメッシュが簡単に実現できる。
【考案を実施するための最良の形態】
【００１４】
次にこの考案の実施の形態を添付図面に基づき詳細に説明する。図１は襟足用部分かつらの外面を示す正面図、図２は同かつらの内面を示す背面図である。襟足用部分かつら１は、線状の装着材２と、その外側に植毛して垂下する付け毛３と、装着材２の内側に取り付け図示しない地毛を挟み込む挟持体４とを有する。
【００１５】
装着材２は、例えば柔軟な紐材等を用い、付け毛３及び挟持体４を係止する。付け毛３は、複数の毛束であって、隣接する毛束間に間隙部５を有する。挟持体４としてはバネ性のワンタッチクリップを使用する。その板材の中央を押して上方に湾曲させ、開放状態となったクリップの中に髪を挟み、今度は逆に板材を押し上げて挟持体４を髪に固定する。
【００１６】
次のこの襟足用部分かつらの装着方法を図３及び図４に基づき説明する。図３は襟足用部分かつら装着時の説明図、図４は髪を下ろした状態の姿図である。先ず髪をハーフアップにしてクリップ６にて仮留めし、襟足用部分かつら１の装着材２を襟足にあてがい、挟持体４を襟足部の地毛７に留める。その後、図４に示すように髪を下ろして地毛７と付け毛３をなじませる。
【００１７】
複数個の襟足用部分かつらを装着する場合には、図５及び図６に示すように更に別の襟足用部分かつらを重ねて取り付ける。なお、上方に重ねる襟足用部分かつら１１は、装着材１２及び付け毛１３の長さを長めに、かつ毛束の数を増やす。一段目と同様に襟足用部分かつら１１の装着材１２を襟足上部にあてがい、挟持体を襟足部の地毛７に留める。その後、図６に示すように髪を下ろして地毛７と付け毛３，１３をなじませ、均等なメッシュスタイルに整える。
【図面の簡単な説明】
【００１８】
【図１】襟足用部分かつらの外面を示す正面図である。
【図２】襟足用部分かつらの内面を示す背面図である。
【図３】襟足用部分かつら装着時の説明図である。
【図４】髪を下ろした状態の姿図である。
【図５】複数個の襟足用部分かつらを装着する時の説明図である。
【図６】複数個の襟足用部分かつらを装着する時の髪を下ろした状態の姿図である。
【符号の説明】
【００１９】
１  襟足用部分かつら
２  装着材
３  付け毛
４  挟持体
５  間隙部
【図１】
0003173142.tif 000003
【図２】
0003173142.tif 000004
【図３】
0003173142.tif 000005
【図４】
0003173142.tif 000006
【図５】
0003173142.tif 000007
【図６】
0003173142.tif 000008
(57)【要約】      （修正有）【課題】洗浄が容易で、衛生を維持することができる飲み口を取り外しできる栓体を提供する。【解決手段】飲み口を取り外しできる栓体を提供して、飲み口を取り外しできる栓体は、栓体本体１と、飲み口２とを含み、栓体本体１と、飲み口２との間は、取り外し連接できる。栓体本体１と、飲み口２との間は、取り外し連接できるため、栓体に残る汚れ物を便利に洗え、使用上にも清潔に保てる。それ以外に、もし栓体本体或いは飲み口が壊れたら、どちらでも取り替えることができ、しかも取り替えるコストを下げられる。【選択図】図１
0003173133.tif 000002
【実用新案登録請求の範囲】
【請求項１】
飲み口を取り外しできる栓体であって、それは、栓体本体１と、飲み口２と、を含み、前記栓体本体１と、前記飲み口２との間は、取り外し連接できることを特徴とする飲み口を取り外しできる栓体。
【請求項２】
前記栓体本体１と、前記飲み口２との間は、ねじ山で連接できることを特徴とする、請求項１に記載の飲み口を取り外しできる栓体。
【請求項３】
前記栓体本体１と、前記飲み口２との間は、ロック式で連接できることを特徴とする、請求項１に記載の飲み口を取り外しできる栓体。
【請求項４】
前記飲み口２の外周面の横向きに、少なくとも一つのスロット３を設置して、前記栓体本体１の内周面に相互に対応するように、前記スロット３に嵌め込められる凸部４を設置することがあることを特徴とする、請求項３に記載の飲み口を取り外しできる栓体。
【請求項５】
前記スロット３の周囲には、定位欠口５を設けて、前記凸部４の側辺には、前記定位欠口５と相互に対応している定位突出部６を設けることを特徴とする、請求項４に記載の飲み口を取り外しできる栓体。
【請求項６】
前記栓体本体１と、前記飲み口２との間は、ガスケット７を設けることを特徴とする、請求項１から５までのいずれか１項記載の飲み口を取り外しできる栓体。
【請求項７】
前記ガスケット７の上表面には、環状の凹槽８を設けることを特徴とする、請求項６に記載の飲み口を取り外しできる栓体。
【考案の詳細な説明】
【技術分野】
【０００１】
本考案は、カップ用の栓体に関して、具体的に、カップ用の飲み口を取り外しできる栓体に関するものである。
【背景技術】
【０００２】
現在、従来のカップは、一般的に、その栓体と飲み口との間が、固定構造を採用しており、当該構造は、取り外すことができないのです。取り外すことができないため、栓体内に汚れを残しやすくなり、洗いにくくなって、従って、従来のカップ構造について、その飲み口を付きの栓体構造は、不合理で、衛生を維持することができず、使用者に多くの不便をもたらした。
【考案の開示】
【考案が解決しようとする課題】
【０００３】
本考案の主な目的は、洗浄が容易で、衛生を維持することができる飲み口を取り外しできる栓体を提供する。
【課題を解決するための手段】
【０００４】
上述した技術問題を解決するために、本考案は、飲み口を取り外しできる栓体を提供し、それは、栓体本体と、飲み口と、を含み、前記栓体本体と、前記飲み口との間は、取り外し連接可能である。
【０００５】
前記栓体本体と、前記飲み口との間は、ねじ山で連接可能である。
【０００６】
前記栓体本体と、前記飲み口との間は、ロック式で連接可能である。
【０００７】
前記飲み口の外周面の横向きにおいて、少なくとも一つのスロットを設置して、前記栓体本体の内周面に相互に対応するように、前記スロットに嵌め込められる凸部を設置することがある。
【０００８】
前記スロットの周囲には、定位欠口を設けて、前記凸部の側辺には、前記定位欠口と相互に対応している定位突出部を設ける。
【０００９】
前記栓体本体と、前記飲み口との間は、ガスケットを設ける。
【００１０】
前記ガスケットの上表面には、環状の凹槽を設ける。
【００１１】
本考案は、優れた効果を有して、栓体本体と、飲み口との間は、取り外すことができるため、便利に栓体内に残した汚れ物を洗え、製品の使用上に更に清潔に保てる。それ以外に、もし栓体本体或いは飲み口が壊れたら、どちらでも取り替えることができ、しかも取り替えるコストを下げる。
【考案を実施するための形態】
【００１２】
図１に示すように、本考案に関わる飲み口を取り外しできる栓体は、栓体本体１と、飲み口２と、を含み、前記栓体本体１と、前記飲み口２との間は、取り外し連接できる。前記栓体本体１と、前記飲み口２との間に対する取り外し連接の方式は、ねじ山で連接できる。前記栓体本体１と、前記飲み口２との間は、ロック式で連接できる。ロック式で連接する構造において、前記飲み口２の外周面の横向きに、少なくとも一つのスロット３を設置して、前記栓体本体１の内周面に相互に対応するように、前記スロット３に嵌め込められる凸部４を設置することがある。使用する時、前記飲み口２の下端を前記栓体本体１の上端にねじらせて、前記凸部４を前記スロット３に設置してよい。前記スロット３の周囲には、定位欠口５を設けて、前記凸部４の側辺には、前記定位欠口５と相互に対応している定位突出部６を設ける。前記凸部４を前記スロット３に設置している時、前記定位突出部６は、前記定位欠口５にロックして、それによって、前記栓体本体１と、前記飲み口２との間に緩みを発生する現象を防止できる。
【００１３】
前記栓体本体１と、前記飲み口２との間は、ガスケット７を設ける。前記ガスケット７は、前記栓体本体１と、前記飲み口２との間に密封を保証できる。前記ガスケット７の上表面には、環状の凹槽８を設ける。前記環状の凹槽８を設置するのは、ガスケットを容易に圧縮させて、わりに大きい補償の性能があって、飲み口と栓体本体の間に、密封を保証することができ、カップ内にある液体を漏らすことがない。
【００１４】
要するに、本考案は、上述した最良の実施形態を例としても、茲に説明するべきで、当領域の技術者は、様々な変化をすることができ、それらの変化が、本考案の範囲を逸脱しない限り、本考案の保護範囲に含まれる。
【図面の簡単な説明】
【００１５】
【図１】本考案に関わる飲み口を取り外しできる栓体の立体組立図である。
【符号の説明】
【００１６】
１              栓体本体
２              飲み口
３              スロット
４              凸部
５              定位欠口
６              定位突出部
７              ガスケット
８              環状の凹槽
【図１】
0003173133.tif 000003
(57)【要約】      （修正有）【課題】タバコ本体の長さを半分にし、喫い残しを少なくできる様にして、経済的な無駄を廃することができる、タバコを提供する。【解決手段】タバコ１１は、タバコ本体１２と、その一端部に装着されたフィルタ部１３から成っている。タバコ１１の長さＬ２は、既存のタバコの長さの半分である。タバコ本体１２の長さＬ２１とフィルタ部１３の長さＬ２２は任意に決定できるのであって、要は、タバコ１１の長さ（全長）Ｌ２を既存のタバコの長さ（全長）の半分にすればよい。タバコ１１の全長Ｌ２は短いので、これを数服喫煙して喫い残した残余の部分を吸殻として捨てても経済的無駄は小さい。【選択図】図１
0003173193.tif 000002
【実用新案登録請求の範囲】
【請求項１】
タバコ本体と、タバコ本体の一端部に装着されたフィルタ部とから成るタバコであって、その長さを既存のタバコの半分にしたことを特徴とするタバコ。
【請求項２】
前記タバコ本体が、タバコ葉を紙巻して成ることを特徴とする請求項１に記載のタバコ。
【考案の詳細な説明】
【技術分野】
【０００１】
本考案は、長さを半分にした経済性にすぐれたタバコに関するものである。
【背景技術】
【０００２】
図５は、従来のタバコの正面図である。タバコ１は、タバコ葉を紙巻して成るタバコ本体２の一端部にフィルタ部３を装着して成っており、所定本数（一般には１０本又は２０本）を紙箱などのケースに収納してケース入りタバコとして販売されている。タバコ１の長さＬ１は様々であるが、一般には８５ｍｍ程度のものが最も好まれている。Ｌ１１はタバコ本体２の長さ、Ｌ１２はフィルタ部３の長さである。
【考案の概要】
【考案が解決しようとする課題】
【０００３】
喫煙者は、タバコ本体全部を喫煙することはまずなく、一般にはタバコ本体の１／３〜１／２程度（破線アで示す程度の位置まで）を数服で喫って満足する。そして喫い残した残余の部分は吸殻として捨てている実状にあり、きわめて不経済である。
【０００４】
そこで本考案は、経済性にすぐれたタバコを提供することを目的とする。
【課題を解決するための手段】
【０００５】
このために本考案は、タバコ本体と、タバコ本体の一端部に装着されたフィルタ部とから成るタバコであって、その長さを既存のタバコの半分にした。
【０００６】
また望ましくは、前記タバコ本体が、タバコ葉を紙巻して成る。
【考案の効果】
【０００７】
タバコ本体を数服喫えば喫煙者は満足するので、そこで喫い残した残余の部分を吸殻として捨てても無駄はわずかであり、経済性にきわめてすぐれたタバコを実現できる。
【図面の簡単な説明】
【０００８】
【図１】本考案の実施の形態１におけるタバコの正面図
【図２】本考案の実施の形態１におけるタバコ入りケースの斜視図
【図３】本考案の実施の形態１におけるタバコ入りケースの内部を示す断面図
【図４】本考案の実施の形態２におけるタバコ入りケースの内部を示す断面図
【図５】従来のタバコの正面図
【考案を実施するための形態】
【０００９】
図１において、タバコ１１は、タバコ本体１２と、その一端部に装着されたフィルタ部１３から成っている。タバコ本体１２は、タバコ葉を紙巻して成るものである。このタバコ１１の長さＬ２は、図５に示す従来（既存）のタバコ１の長さＬ１の半分である。Ｌ２１はタバコ本体１２の長さ、Ｌ２２はフィルタ部１３の長さである。勿論、タバコ本体１２の長さＬ２１とフィルタ部１３の長さＬ２２は任意に決定できるのであって、タバコ本体１２の長さＬ２１をより長くし、フィルタ部１３の長さＬ２２をより短くしてもよく、要は、タバコ１１の長さ（全長）Ｌ２を図５に示す従来のタバコ１の長さ（全長）Ｌ１の半分にすればよい。
【００１０】
上述のように、従来のタバコ１の長さＬ１は８５ｍｍ程度のものが多いが、本実施の形態における長さＬ２はその半分の４２ｍｍ程度である。なお、本考案で半分とは、略半分を含むものである。
【００１１】
図２および図３は、タバコ１１を２０本収納したケース１４を示すものである。ケース１４は、本体１４ａと、本体１４ａ上部に開閉自在に装着された蓋部１４ｂから成っている。このケース１４は、公知のケースと同様のものであり、その高さＨ１が小さい（従来のケースの半分）点で相違している。
【００１２】
このように、このタバコ１１の全長Ｌ２は短いので、これを数服喫煙して破線イ（図１）で示す位置程度まで消費し、喫い残した残余の部分を吸殻として捨てても経済的無駄は小さい。
【００１３】
図４は、上記タバコ１１を上下２段、合計４０本収納したケース１５を示している。このケース１５の高さＨ２は、図３に示すケース１４の高さの略２倍である。このように、ケースに収納するタバコの本数は任意に決定できる。
【００１４】
タバコのケースへの収納形態は任意に決定できるのであって、図２〜図４ではタバコはケース内に縦向きで収納しているが、横向きに収納してもよい。
【産業上の利用可能性】
【００１５】
タバコ本体を数服喫えば喫煙者は満足するので、そこで喫い残した残余の部分を吸殻として捨てても無駄はわずかであり、経済性にきわめてすぐれたタバコを実現できる。
【符号の説明】
【００１６】
１１  タバコ
１２  タバコ本体
１３  フィルタ部
１４、１５  ケース
【図１】
0003173193.tif 000003
【図２】
0003173193.tif 000004
【図３】
0003173193.tif 000005
【図４】
0003173193.tif 000006
【図５】
0003173193.tif 000007
(57)【要約】      （修正有）【課題】素早く調理することが可能であり、調理面積を拡げることも可能なまな板を提供する。【解決手段】薄い複数の同形のまな板には、表面にだぼ、裏面にだぼ穴が同位置に設けられ、重ね合わせて一体とすることができる、また、それら複数のまな板の長辺に沿った小幅の段差部に突起、及び突起穴が設けられ、分離して並列に結合することもできる。【選択図】図１
0003173118.tif 000002
【実用新案登録請求の範囲】
【請求項１】
薄い複数の同形のまな板には、表面にだぼ、裏面にだぼ穴が同位置に設けられており、重ね合わせて一体のまな板として使用することが可能であり、また、それら複数のまな板の長辺に沿った小幅の段差部に設けられた突起、及び突起穴により、それら複数のまな板を分離して並列に結合し、調理面積を拡大することも可能な多重まな板。
【考案の詳細な説明】
【技術分野】
【０００１】
本考案は台所で使用するまな板に関するものである。
【背景技術】
【０００２】
調理道具としてまな板は無くてはならないものの一つで、料理をする時には必ず利用されている。
【先行技術文献】
【特許文献】
【０００３】
【特許文献１】特許３５１１２４０
【特許文献２】特表２００８−５０９７４４
【特許文献３】実登３１６３５５６
【考案の概要】
【考案が解決しようとする課題】
【０００４】
肉や魚、野菜や果物を切る場合、まな板に付いた脂分や臭みのある汁を取るために、一般的にはその都度洗剤を付けて洗うが、料理作業が中断して面倒である。だからといって、材料ごとに幾つもまな板を用意するのも場所を取って不便である。
また、他にはパンやピザ生地を伸ばして拡げる場合、まな板の上では狭いといった問題点がある。
【課題を解決するための手段】
【０００５】
本考案の多重まな板は、通常よりも薄い複数のまな板を重ね合わせ、一体のまな板として使用することを特徴とする。（図２参照）
肉や魚などの脂分が付着したまな板を、その都度洗剤で洗わなくても、分離して下側に移動させ、新たに上側になったまな板の上で素早く調理することができる。
また、複数のまな板を並列に並べて結合することで、パンやピザ生地を伸ばして拡げられる大きさにできる。（図３参照）
【０００６】
以下、本考案の構造を、まな板Ａ、まな板Ｂの２層からなる場合で説明する。（図１参照）
まな板Ａ（１）、まな板Ｂ（２）の表側にだぼ（４）、裏側にだぼ穴（６）がそれぞれ同位置に設けられていて、一方のだぼ（４）を他方のだぼ穴（６）に嵌め込むことで一体のまな板として使用できる。（図２参照）
また、それぞれまな板の長辺に沿って小幅の段差があり、まな板Ａ（１）、まな板Ｂ（２）を並列に結合する時、その段差部に設けてある突起（３）を他方の突起穴（５）に嵌め込むことで倍の調理面積のまな板として使用可能となる。（図３参照）
【考案の効果】
【０００７】
複数のまな板を重ね合わせて使用することで、肉や魚などの脂分が付着したまな板を、その都度洗剤を付けて洗わなくても、分離して下側に移動させ、新たに上側になったまな板の上で素早く調理することができる。
また、複数のまな板を並べて結合することができるので、パンやピザ生地を伸ばしたりできる大きさに拡げることもできる。
【図面の簡単な説明】
【０００８】
【図１】本考案の説明図である。
【図２】本考案の使用例である。
【図３】本考案の使用例である。
【考案を実施するための形態】
【０００９】
本考案の多重まな板は複数の同形のまな板を重ねて、一体のまな板として使用するが、ここではまな板を２枚使用した場合について、以下実施の形態を説明する。（図１参照）
（イ）  まな板Ａ（１）、まな板Ｂ（２）は同形とする。
（ロ）  まな板Ａ（１）の二つの長辺には板厚の半分の段差を短い幅で辺に沿って設けるが、段差は互いに対して反対側に設ける。
（ハ）  まな板Ａ（１）の表側にだぼ（４）、裏側にだぼ穴（６）を同位置に設ける。
（ニ）  まな板Ａ（１）の一方の段差部に突起（３）を設け、他方の段差部の同位置に突起穴（５）を設ける。
【００１０】
以上の構造を有するので、まな板Ａ（１）、まな板Ｂ（２）の一方のだぼ（４）を他方のだぼ穴（６）に嵌め込むことで一体のまな板として使用できる。（図２参照）
また、まな板Ａ（１）、まな板Ｂ（２）を並列に結合する時、その段差部に設けてある突起（３）を他方の突起穴（５）に嵌め込むことで倍の調理面積のまな板として使用可能となる。（図３参照）
【符号の説明】
【００１１】
１  まな板Ａ
２  まな板Ｂ
３  突起
４  だぼ
５  突起穴
６  だぼ穴
【図１】
0003173118.tif 000003
【図２】
0003173118.tif 000004
【図３】
0003173118.tif 000005
(57)【要約】      （修正有）【課題】夏期の最中に、外部を歩行、あるいは外部で作業する際に、少しでも外気をズボン内に取り入れ、涼しい冷却ズボンを提供する。【解決手段】ズボンにおいて、ズボン本体の前身頃にそれぞれタック部２、２′を設け、これらタック部のそれぞれ折り返し部に、それぞれ通穴３、３′を形成し、これらの通穴３、３′にメッシュ地４、４′を、それぞれ縫着して上記の冷却ズボンを構成する。【選択図】図２
0003173188.tif 000002
【実用新案登録請求の範囲】
【請求項１】
ズボンにおいて、ズボン本体（１）の前身頃にそれぞれタック部（２）（２′）を設け、これらタック部のそれぞれ折り返し部（３）（３′）に、それぞれ通穴（Ｂ）（Ｂ′）を形成し、これらの通穴（Ｂ）（Ｂ′）にメッシュ地（４）（４′）を、それぞれ縫着したことを特徴とする冷却ズボン。
【考案の詳細な説明】
【技術分野】
【０００１】
この考案は、冷却ズボンに関するものであり、特に、通気性のよい空冷機能を備えた冷却ズボンに関するものである。
【背景技術】
【０００２】
身体の下半身を被う衣服であるズボンは、従来より種々存在しており、着用する季節や、ＴＰＯによって、長ズボン、半ズボン、ショートパンツ等を選択して着用している。
【０００３】
しかし、猛暑の下でも、業務上使用しなければならない長ズボンは、下半身部の熱気と真夏の外部からの熱気とで作業に使用するズボンは、大変、暑いものであった。
【０００４】
しかし、ズボンのポケット部の袋布に、メッシュ地を用いたものは存在している。
例えば、特許文献１のように。
【先行技術文献】
【特許文献】
【０００５】
【特許文献１】特開平１１−２４１００９号公報
【０００６】
しかしこの技術は、従来、ズボンにおいて、表地部分と重なるポケット地部分をメッシュ地としたものにすぎず、重合部分が、従来に比べて暑くならないよう配慮されたものであり、依然として、ズボン全体は、依然として熱を持ち、暑いものであった。
【考案の概要】
【考案が解決しようとする課題】
【０００７】
そこで、この考案の課題は、夏期の最中に、外部を歩行、あるいは屋外で作業する際に、少しでも外気をズボン内に取り入れ、涼しいズボンを提供・開発することにある。
【課題を解決するための手段】
【０００８】
上記の課題を解決するため、ズボンの前部の一対に設けたタック部に着眼し、該タックの折り返し部にメッシュ地を貼着することにより、風が、ズボンの両裾口からメッシュに抜け、あるいは一方のタツク部から他方のタック部に抜けるよう構成した冷却ズボンである。
【考案の効果】
【０００９】
この考案によると、ズボンのタック部（２）（２′）であって、これらタック部の折り返した裏部に通穴（３）（３′）を設け、該通穴には、それぞれメッシュ（４）（４′）を設けているため、正面からは見えず、見た目に体裁がよく、また、タックは左右に一個つづ設けられており、一方のタック部の折り返し部の通穴から入った風は、他方のタック部に抜け、また、ズボン末端の裾口から入った風が、タック部の折り返し部の通穴に抜ける等ズボン内に風が抜けることにより涼しくなる等、極めて有益なる効果を奏する。
【図面の簡単な説明】
【００１０】
【図１】この考案の一実施例を示す正面図である。
【図２】この考案の一実施例を示し、図１のＡ−Ａ断面図である。
【図３】この考案の一実施例を示す一部欠截拡大斜視図である。
【考案を実施するための形態】
【００１１】
以下、本考案について詳細に説明する。なお、本発明においては、以下の記述に限定されるものではなく、本考案の要旨を逸脱しない範囲においては適宜変更可能である。
【実施例】
【００１２】
本考案の一実施例を図面に基づいて詳述すると、ズボンにおいて、ズボン本体（１）の前身頃、即ち，前部にそれぞれタック部（２）（２′）を設け、これらタック部のそれぞれ折り返し部に、それぞれ通穴（３）（３′）を形成し、これらの通穴（３）（３′）にメッシュ地（４）（４′）を、それぞれ縫着したことを特徴とする冷却ズボンから構成される。
【００１３】
尚、上着と一緒に着用するズボンには、大きめの通穴（３）（３′）に、メッシュ地（４）（４′）を貼着しても、外部からは見え難くより、ズボン内部は冷却可能である。
【００１４】
また、前身頃にそれぞれ設けたタック部（２）（２′）は、ズボンの中央に向かって折り畳まれても、ズボンの横脇方向に向かって折り畳まれていてもよいものである。
【００１５】
さらに、ズボン本体（１）が、猛暑等の屋外で作業する作業用のズボンであれば、より効果も高いものである。
【産業上の利用可能性】
【００１６】
この考案のよると、冷却ズボンの製造技術を確立し、それに基づいて製造・販売することにより、産業上の利用可能性があるものである。
【符号の説明】
【００１７】
１  ズボン本体
２，２′タック部
３，３′  通穴
４，４′メッシュ地
【図１】
0003173188.tif 000003
【図２】
0003173188.tif 000004
【図３】
0003173188.tif 000005
(57)【要約】      （修正有）【課題】真夏の猛暑の最中に涼しく、あるいはズボンの裾口が濡れたり汚れたりすることを防止し、作業が涼しく、また、楽に行える作業用裾上げズボンを提供する。【解決手段】長裾を有する作業用ズボンにおいて、該ズボン本体１の裾部２の表面部であって、該裾部２の裾口より適宜な位置に、ズボン本体１の素材と共生地にて被係止片３を設ける。さらに、該被係止片３には、ボタン穴部４を設け、一方、前記裾部２の裏面部には、ベルト状の係止片５を設け、該係止片５の先端部には、前記被係止片３のボタン穴部４に挿入可能な大きさのボタン６を設けて作業用裾上げズボンを形成する。【選択図】図３
0003173189.tif 000002
【実用新案登録請求の範囲】
【請求項１】
長裾を有する作業用ズボンにおいて、該ズボン本体（１）の裾部（２）の表面部（Ａ）であって、該裾部（２）の裾口（Ｘ）より適宜な位置に、ズボン本体（１）の素材と共生地にて被係止片（３）を設け、該被係止片（３）には、ボタン穴部（４）を設け、一方、前記裾部（２）の裏面部（Ｂ）には、ベルト状の係止片（５）を設け、該係止片（５）の先端部には、前記被係止片（３）のボタン穴部（４）に挿入可能な大きさのボタン（６）を設けたことを特徴とする作業用裾上げズボン。
【考案の詳細な説明】
【技術分野】
【０００１】
この考案は、作業用ズボンであって、特に、長裾を有するズボンの裾を、裾口からロール状に巻き上げて着用可能な作業用裾上げズボンに関するものである。
【背景技術】
【０００２】
身体の下半身を被う衣服であるズボンは、従来よりそれぞれの各機能を有するものが種々、存在している。
【０００３】
しかし、作業上、着用する長裾の作業用ズボンは、猛暑の下でも、また、作業上発生する現場、例えば、水、泥、油などで濡れたり、付着しで裾口部付近が汚れることがあり、その都度、裾をまくり上げて作業をする必要があり、せっかく、まくり上げた裾が、足の動きによってもとに戻ってしまい、それを、再度、まくり上げる必要があり、極めて、煩雑であった。
【０００４】
しかし、作業用ズボンにおいて裾口を、細工を施した作業用ズボンは存在している。
例えば、特許文献１のように。
【先行技術文献】
【特許文献】
【０００５】
【特許文献１】登録実用新案第３１０２２１６号公報
【０００６】
しかしこの技術は、作業用ズボンにおいて、裾部に縦方向にスリットを形成して裾部が開放するよう構成されているが、この開口した箇所にメッシュ生地で被覆したものであり、ズボンの裾部を横方向に拡げたり、狭めたりするものであり、裾を巻き上げる構造のものではなかった。
【考案の概要】
【考案が解決しようとする課題】
【０００７】
そこで、この考案の課題は、真夏の猛暑の最中に涼しく、あるいはズボンの裾口が濡れたり汚れたりすることを防止し、作業が涼しくまた、楽に行える作業用裾上げズボンを提供・開発することにある。
【課題を解決するための手段】
【０００８】
上記の課題を解決するため、ズボンの裾部をまくしあげて、ズボンを上方向に開放する裾口から裾をロール状に捲くり挙げ、それを固定する作業用裾上げズボンを開発・提供するものである。
【考案の効果】
【０００９】
この考案によると、ズボン本体（１）の裾部（２）の表面部（Ａ）であって、該裾部（２）の裾口（Ｘ）より適宜な位置に、ズボン本体（１）の素材と共生地にて被係止片（３）を設け、該被係止片（３）には、ボタン穴部（４）を設け、一方、前記裾部（２）の裏面部（Ｂ）には、ベルト状の係止片（５）を設け、該係止片（５）の先端部には、前記被係止片（３）のボタン穴部（４）に挿入可能な大きさのボタン（６）を設けたことを特徴とする作業用ズボン涼しくなる等極めて有益なる効果を奏する。
【図面の簡単な説明】
【００１０】
【図１】この考案の一実施例を示す一部欠截正面図である。
【図２】この考案の一実施例を示す側面図である。
【図３】この考案の使用状態を示す説明図である。
【図４】この考案の使用状態を示す一部欠截断面図である。
【考案を実施するための形態】
【００１１】
以下、本考案について詳細に説明する。なお、本発明においては、以下の記述に限定されるものではなく、本考案の要旨を逸脱しない範囲においては適宜変更可能である。
【実施例】
【００１２】
本考案の一実施例を図面に基づいて詳述すると、長裾を有する作業用ズボンにおいて、該ズボン本体（１）の裾部（２）の表面部（Ａ）であって、該裾部（２）の裾口（Ｘ）より適宜な位置に、ズボン本体（１）の素材と共生地にて被係止片（３）を設け、該被係止片（３）には、ボタン穴部（４）を設け、一方、前記裾部（２）の裏面部（Ｂ）には、ベルト状の係止片（５）を設け、該係止片（５）の先端部には、前記被係止片（３）のボタン穴部（４）に挿入可能な大きさのボタン（６）を設けたことを特徴とする作業用ズボンから構成される。
【００１３】
尚、ズボン本体（１）の裾部（２）の表面部（Ａ）で、該裾部（２）の裾口（Ｘ）より適宜な位置に設けた被係止片（３）には、作業ズボンを着用する会社の社標を縫着して、宣伝してもよいものである。
【００１４】
また、被係止片（３）の取り付け位置は、ひざ上、４０ｃｍ以下であるが、必要に応じて、異なった高さに設けてもよい。
【００１５】
さらに、ズボン本体（１）が、屋外で作業する作業用のズボンであれば、より効果も高いものである。
【産業上の利用可能性】
【００１６】
この考案のよると、冷却ズボンの製造技術を確立し、それに基づいて製造・販売することにより、産業上の利用可能性があるものである。
【符号の説明】
【００１７】
１  ズボン本体
２  裾部
３  被係止片
４  ボタン穴部
５  ベルト状の係止片
６  ボタン
Ａ  ズボンの表面部
Ｂ  ズボンの裏面部
Ｘ  裾部（２）の裾口
【図１】
0003173189.tif 000003
【図２】
0003173189.tif 000004
【図３】
0003173189.tif 000005
【図４】
0003173189.tif 000006
(57)【要約】      （修正有）【課題】ブームの上げ下げの操作が至極簡単なトラック用手動式クレーンを提供する。【解決手段】サポート９の他端部７に設けた軸体１５をスライド板１１の複数の略Ｌ字状の長穴１２，１３，１４内にスライドして陥入させ段階的に係止させることにより、ブーム４の他端部８を段階的に連続して上下方向に回動可能となるよう構成したことを特徴とする。【選択図】図１
0003173122.tif 000002
【実用新案登録請求の範囲】
【請求項１】
トラック荷台内の前部に設置された縦回転軸（１）と、
該縦回転軸（１）の上端部（２）にその一端部（３）をその他端部（８）が上下方向に回動可能となるように取り付けたブーム（４）と、
該縦回転軸（１）の下端部（５）にその一端部（６）をその他端部（７）が上下方向に回動可能となるように取り付けたサポート（９）と、
前記ブーム（４）の他端部（８）の底面部に取り付けた係止用の複数の略Ｌ字状の長穴（１２），（１３），（１４）を設けたスライド板（１１）と、
前記サポート（９）の他端部（７）に設けた軸体（１５）とからなり、
該軸体（１５）を該スライド板（１１）の複数の略Ｌ字状の長穴（１２），（１３），（１４）内にスライドして陥入させ段階的に係止させることにより、ブーム（４）の他端部（８）を段階的に連続して上下方向に回動可能となるよう構成したことを特徴とするトラック用手動式クレーン。
【考案の詳細な説明】
【技術分野】
【０００１】
本考案は、荷物の積み下ろし作業を行えるトラック用手動式クレーンに関する。
【背景技術】
【０００２】
従来、トラックにおいて、荷物の積み下ろし作業を行うため、手動式クレーン（取り付けが容易な簡易型クレーンを含む）がもうけられている。
このようなクレーンは、例えば、特許文献１に記載されているように、トラック荷台内の前部（運転室背部の外壁部）に取り付けた鳥居に設けた縦回転軸と、該縦回転軸の上端部に第一回転軸で取り付けたブームと、基端部を該縦回転軸の下端部に第二横回転軸で取り付け、その先端部を複数の第三横回転軸でブームに着脱可能に取り付けたサポートより構成されている。
【先行技術文献】
【特許文献】
【０００３】
【特許文献１】特開２０１０−１９５５８１号公報
【考案の概要】
【考案が解決しようとする課題】
【０００４】
しかしながら、特開２０１０−１９５５８１号公報のクレーンのブーム６の上げ下げは、サポート７の先端部を、ブーム６に取り付けた係止板（回転軸８）から縦回転軸（３）に近い方の係止板（回転軸９）に移し変え、ボルトナットで固定して行っているため操作が面倒である。
【課題を解決するための手段】
【０００５】
本考案に係わるトラック用手動式クレーンは、上記課題を解決するために、
トラック荷台内の前部に設置された縦回転軸（１）と、
該縦回転軸（１）の上端部（２）にその一端部（３）をその他端部（８）が上下方向に回動可能となるように取り付けたブーム（４）と、
該縦回転軸（１）の下端部（５）にその一端部（６）をその他端部（７）が上下方向に回動可能となるように取り付けたサポート（９）と、
前記ブーム（４）の他端部（８）の底面部に取り付けた係止用の複数の略Ｌ字状の長穴（１２），（１３），（１４）を設けたスライド板（１１）と、
前記サポート（９）の他端部（７）に設けた軸体（１５）とからなり、
該軸体（１５）を該スライド板（１１）の複数の略Ｌ字状の長穴（１２），（１３），（１４）内に順次スライドして陥入させ段階的に係止させることにより、ブーム（４）の他端部（８）を段階的に連続して上下方向に回動可能となるよう構成したことを特徴とするものである。
【考案の効果】
【０００６】
本考案によれば、サポート（９）のサポートの他端部（７）に軸体（１５）を設け、この軸体（１５）をブーム（４）の他端部（８）の底面部に取り付けたスライド板（１１）に設けた係止用の複数の略Ｌ字状の長穴１２，１３，１４内に順次スライドして陥入させ段階的に該軸体（１５）係止させるようにしたので、特開２０１０−１９５５８１号公報のクレーンのようにブームの上げ下げはサポート先端部を、ブームに取り付けた複数の係止板のいずれかに移し変え、逐一ボルトナットで固定して行うという面倒な操作が不要となり、ブームの上げ下げが至極簡単になった。
【図面の簡単な説明】
【０００７】
【図１】実施例のトラック用手動式クレーンの正面図である。
【図２】実施例のトラック用手動式クレーンのスライド板（１１）の斜視図（ａ）、正面図（ｂ）、側面図（ｃ）である。
【図３】実施例のトラック用手動式クレーンの使用状態を示す図である。
【考案を実施するための形態】
【０００８】
次に、本考案の１つの実施例を図１〜３を参照しながら説明する。
まず、トラック用手動式クレーンの構成について説明する。
トラック荷台内の前部（トラック運転室背面の外壁部）に設置された縦回転軸１と、縦回転軸１の上端部２にその一端部３をその他端部８が上下方向に回動可能となるように取り付けたブーム４と、縦回転軸１の下端部５にその一端部６をその他端部７が回動可能となるように取り付けたサポート９からなる手動式クレーンにおいて、サポート９の他端部７にこれを貫通する軸体１５を設け、この軸体１５をブーム４の他端部８の底面部に取り付けたスライド板１１の係止用の複数の略Ｌ字状の長穴１２，１３，１４のいずれか内をスライドさせ該長穴の先端部に陥入させて係止させるよう構成される。
【０００９】
次に、このトラック用手動式クレーンの使用方法について説明する。
図１，３に示すように、サポート９の他端部７に貫通する軸体１５を、ブーム４の他端部８の底面部に取り付けたスライド板１１の係止用の略Ｌ字状の長穴の先端位置から、ブーム４の先端部１８を手で上方に持ち上げつつ，  係止用の略Ｌ字状の長穴１２から該長穴１４内のいずれかにスライドさせその長穴の先端部に陥入させ係止させることによりブーム４の先端部１８を上方位置に固定し、ついでブーム４を荷台の外側に旋回させる。
その後、ブーム４の先端部１８のフック１６に設けたチェーンブロックなどの吊り上げ器械１７に荷物を取付けて吊り上げ、ブーム４を荷台の内側に旋回させて荷台に荷物を吊り下ろす。
このようにして、ブーム４の上げ下げの操作が至極簡単になった。
【符号の説明】
【００１０】
１    縦回転軸
２    縦回転軸の上端部
３    ブームの一端部
４    ブーム
５    縦回転軸の下端部
６    サポートの一端部
７    サポートの他端部
８    ブームの他端部
９    サポート
１０  略Ｌ字状の長穴のスライド部
１１  スライド板
１２  スライド板の略Ｌ字状の長穴
１３  スライド板の略Ｌ字状の長穴
１４  スライド板の略Ｌ字状の長穴
１５  サポートの軸体
１６  フック
１７  吊り上げ器械
１８  ブームの先端部
Ａ    鳥居
【図１】
0003173122.tif 000003
【図２】
0003173122.tif 000004
【図３】
0003173122.tif 000005
(57)【要約】      （修正有）【課題】田んぼの畦や用水路等の雑草、芝の刈り込み等に使用される往復型草刈機の往復刈刃装置を提供する。【解決手段】刈刃部材ｃを刈刃往復駆動部材ａに重ね合わせて、ピン部材ｄで接合し、刈刃部材には凹部アを設けて刈刃往復駆動部材ｂを嵌合させ、刈刃往復駆動部材をすべり動支持部材とすることにより刈刃部材を２点支持接続構造としたことを特長とする。【選択図】図１
0003173101.tif 000002
【実用新案登録請求の範囲】
【請求項１】
往復型草刈機の往復刈刃装置において、ｃ刈刃部材をａ刈刃往復駆動部材に重ね合せてｄピン部材で接合し、ｃ刈刃部材にはア凹部を設けて、ｂ刈刃往復駆動部材に嵌合させる。ｂ刈刃往復駆動部材はｃ刈刃部材を往復すべり動の支持部材とし、ｃ刈刃部材を２点支持接続構造にした事を特長とする往復刈刃装置。
【考案の詳細な説明】
【技術分野】
【０００１】本考案は田んぼの畦や用水路等の雑草、芝の刈り込み等に使用される往復型草刈機の往復刈刃装置に関するものである。
【背景技術】
【０００２】従来の往復型草刈機には刈刃部材を上下から挟んで押さえる部材を配置した構造の往復刈刃装置がある。以下［図３］［図４］により従来の往復刈刃装置について説明する。
［図３］［図４］で示すように、１刈刃往復駆動部材と２刈刃部材は同一平面上で接合されて、３刈刃押さえ部材と４刈刃押さえ部材により上下から摺動可能に挟んで押さえる構造がある。そのため、刈刃部材の交換が困難である。
【考案の概要】
【考案が解決しようとする課題】
【０００３】往復型草刈機に於いては消耗品である刈刃部材の交換が容易にできることが必須条件の課題となっている。この課題を解決するために、従来の、刈刃部材を上下から挟んで押さえるための部材を必要とせずに刈刃部材を往復動ができれば、構造が簡単な往復刈刃装置となり、しかも往復刈刃装置を軽量化する課題も解決することが可能になる。
【課題を解決するための手段】
【０００４】［図１］［図２］で示すように、ｃ刈刃部材をａ刈刃往復駆動部材に重ね合わせて、ｄピン部材で接合し、ｃ刈刃部材にはア凹部を設けてｂ刈刃往復駆動部材に嵌合させ、往復すべり動きができるようにする事によりｃ刈刃部材を２点支持接続構造にして、従来の構造では必要としていた上下から挟んで押さえる部材を必要としない構造で解決した。
【考案の効果】
【０００５】本考案の往復刈刃装置はｃ刈刃部材を２点支持接続構造にするため、ｃ刈刃部材をａ刈刃往復駆動部材に重ね合わせてｄピン部材で接合し、ｃ刈刃部材にはア凹部を設けて、ｂ刈刃往復駆動部材に嵌合し、ｂ刈刃往復駆動部材を往復すべり動の支持部材にし、ｃ刈刃部材を２点支持接続構造にして、従来の構造では必要としていた上下から挟んで押さえる部材を必要としない構造としたので、構造が簡単な往復刈刃装置となり、しかも往復刈刃装置を軽量化することができる効果がある。
【図面の簡単な説明】
【０００６】
【図１】要部を示した断面図
【図２】要部を示した平面図
【図３】従来型の要部を示した断面図
【図４】従来型の要部を示した平面図
【考案を実施するための形態】
【実施例】
【０００７】以下、添付図面に従って一実施例を説明する。［図１］［図２］で示したように、ａは刈刃往復駆動部材でｃは刈刃部材である。ｄはピン部材（ボルト部材）でａ刈刃往復駆動部材とｃ刈刃部材を重ね合わせて接合させるために必要な部材である。更に、ｃ刈刃部材にはア凹部を設けてあり、ｃ刈刃部材をｂ刈刃往復駆動部材に嵌合させて往復すべり動の支持を受ける。即ち、ｃ刈刃部材を２点支持接続構造にした。故に、ｃ刈刃部材はｄピン部材での接合とｂ刈刃往復駆動部材の往復すべり部とで支えられた２点支持の構造となり、ａ刈刃往復駆動部材とｃ刈刃部材は一体的になり、ｃ刈刃部材は確実な往復動が可能になる。尚、ｂ刈刃往復駆動部材の代わりに固定部材を用いてもよい。ｄピン部材はボルト部材で実施する事が取付取外しに便利である。
【符号の説明】
【０００８】ａ    刈刃往復駆動部材
ｂ    刈刃往復駆動部材
ｃ    刈刃部材
ｄ    ピン部材（ボルト部材）
ア    ｃ刈刃部材の凹部
１    刈刃往復駆動部材
２    刈刃部材
３    刈刃押さえ部材
４    刈刃押さえ部材
【図１】
0003173101.tif 000003
【図２】
0003173101.tif 000004
【図３】
0003173101.tif 000005
【図４】
0003173101.tif 000006
(57)【要約】      （修正有）【課題】手からのずり下がりやずり落ち防止機能を有する炊事用手袋を提供する。【解決手段】手袋形の合成樹脂もしくは薄ゴム製の手袋外体を設け、一方、筒形布体による手袋内体を設け、手袋内体を手袋外体の挿入口近傍内に固着して位置させたことを特徴とする。手袋外体の挿入口内に、キルティング布体による手袋内体がやや突出して位置するので、手首に対する摩擦力が増大するとともに、手袋の形状保持性が向上し、また手の皮膚面と手袋内体間に少しの隙間ができて、従来より問題となっていた作業時における手袋のずり下がり、手の蒸れ、手の挿入しにくさなどを解消できる。【選択図】図３
0003173103.tif 000002
【実用新案登録請求の範囲】
【請求項１】
手袋形の合成樹脂もしくは薄ゴム製の手袋外体を設け、一方、筒形布体による手袋内体を設け、手袋内体を手袋外体の挿入口近傍内に固着して位置させたことを特徴とする炊事用手袋。
【請求項２】
手袋外体端より手袋内体端を突出させて設けてなる請求項１記載の炊事用手袋。
【請求項３】
手袋内体をキルティング布体にて設けてなる請求項１または２記載の炊事用手袋。
【請求項４】
手袋内体を手袋外体内に粘着させて位置させてなる請求項１から３のいずれかの項に記載の炊事用手袋。
【考案の詳細な説明】
【技術分野】
【０００１】  この考案は、手からのずり下がりやずり落ち防止機能を有する炊事用の手袋に関する。
【背景技術】
【０００２】  従来より、種々の手袋が利用されているが、本案にて示すように、ずり下がり防止機能を有する炊事用の手袋は見あたらない。
【考案の開示】
【考案が解決しようとする課題】
【０００３】  手袋は古来より種々に用いられてきた。防寒用、作業用など多樣であるが、その中に炊事用の手袋がある。一般的には、薄ゴム製であって一体成型品である。
炊事作業や水作業では非透水性は必須であるが、薄い手袋のほうが手になじんで作業しやすい。しかし、この薄さのため手袋自体の形状保持性に乏しく、使用中に手首に当たる個所に不定型なしわができて、そのために最初に装着した形状を保つことが難しくなり、次第に下がってくるという問題がある。また、非透水性のために作業に伴う発汗を逃がすための通気性に乏しく、蒸れてくるという問題があった。
本案は以上に鑑み、手への装着性、形状保持性、通気性の各点において有効なる手袋を提供することを目的として考案されたものである。
【課題を解決するための手段】
【０００４】  課題を解決する手段として本案は以下の構成とした。
すなわち、手袋形の合成樹脂もしくは薄ゴム製の手袋外体を設け、一方、筒形布体による手袋内体を設け、手袋内体を手袋外体の挿入口近傍内に固着して位置させる。
本案は以上の構成よりなる炊事用手袋である。
【考案の効果】
【０００５】  本案によれば、手袋外体の挿入口内に、キルティング布体による手袋内体がやや突出して位置するので、手首に対する摩擦力が増大するとともに、手袋の形状保持性が向上し、また手の皮膚面と手袋内体間に少しの隙間ができて、従来より問題となっていた作業時における手袋のずり下がり、手の蒸れ、手の挿入しにくさなどをすべて解消できる、有用なる炊事用の手袋を得ることができる。
【考案を実施するための最良の形態】
【０００６】  以下、本考案の実施形態について説明する。
図において、１は手袋外体で、薄ゴム製である。２は手袋内体で、キルティング布体である。この手袋内体は筒状であって、その一端は手袋外体内中間位置に達し、（図２における点線にて示す）他端は手袋外体端よりやや外方に位置している。手袋内体はその一端より他端に向かうにつれて次第に大径となる傾斜的筒体である。なお、キルティングは、２枚の布の間に綿や毛の芯をはさみ、ステッチで押さえたものである。
３は粘着部で、手袋外体と手袋内体を相互に粘着させている部分であり、本例では２個所設けている。（図２における仮想線にて示す）４は小ループ状の吊り紐で、手袋内体端近傍に縫着される。
本案の使用に際しては、従来の手袋と同様に用いる。従来品に比べ、手袋内体が挿入口内に位置しており、手首に接触してその摩擦にて、従来品のように使用中のずり下がりは防止される。また、この手袋内体を手袋外体より突出して位置させることにて、手首部分との接触面積が増大してより安定した装着ができる。この手袋内体はキルティング布体を用いるので、ステッチにてその表面は若干の連続凹凸を有しているので、手の皮膚との間に少しの間隙を発生させて、この間隙により生ずる通気性にて、使用時発汗による手の蒸れを緩和することができる。【０００７】  この手袋内体はその一端より他端に向けて大径となる傾斜内面を有しているので、手を挿入したときに、手の外面に沿ったフィット感が得られ、また従来品に比べて形状保持性に優れるため、手の挿入がより容易となる利点を有する。
本例では、手袋外体に対する手袋内体の固定は粘着方式を用いており、図２〜図３では、手袋内体の２個所に、手袋内体の一方の開口部より他方の開口部に向かう細長部分としている。なお、図５の他例は、手袋内体の小径側近傍周面に沿って粘着部を設けたもので、その他は前例同様である。４の吊り紐は、使用後の乾燥時に吊り下げることを考慮したものである。
以上、本案について記したが、本案は手袋内体と手袋外体を粘着にて固定するものとしたが、接着その他の手段を用いてもよい。本案にて用いたキルティング布体は木綿製にて適度の吸湿性を有して快適に使用することができる。
以上のごとく、本案によって利便性に富む新規な炊事用の手袋を得ることができる。
【図面の簡単な説明】
【０００８】
【図１】  従来品の平面図
【図２】  本考案の平面図（手の甲側）
【図３】  本考案の底面図
【図４】  本考案の要部構造説明図
【図５】  本考案の他例平面図
【符号の説明】
【０００９】  １  手袋外体
２  手袋内体
３  粘着部
４  吊り紐
１０  従来手袋
【図１】
0003173103.tif 000003
【図２】
0003173103.tif 000004
【図３】
0003173103.tif 000005
【図４】
0003173103.tif 000006
【図５】
0003173103.tif 000007